(57)【要約】【課題】引戸扉の開閉によって室内の消臭や清浄化を行うことのできる引戸装置を提供すること。【解決手段】出入口に配置される引戸扉４と、引戸枠部材２と、この引戸枠部材２の一側に形成され、引戸扉を収納する戸袋３とからなる引戸装置において、引戸扉４の少なくとも居室側正面４１に光触媒又は酸素触媒のコーティングを施すようにする。【選択図】図１
2005207062.tif 000002
【特許請求の範囲】
【請求項１】
出入口に配置される引戸扉と、引戸枠部材と、該引戸枠部材の一側に形成され、引戸扉を収納する戸袋とからなる引戸装置において、引戸扉の少なくとも居室側正面に光触媒又は酸素触媒のコーティングを施したことを特徴とする引戸装置。
【請求項２】
出入口に配置される引戸扉と、引戸枠部材と、該引戸枠部材の一側に形成され、引戸扉を収納する戸袋とからなる引戸装置において、戸袋内面に酸素触媒コーティングを施したことを特徴とする引戸装置。
【請求項３】
出入口に配置される引戸扉と、引戸枠部材と、該引戸枠部材の一側に形成され、引戸扉を収納する戸袋とからなる引戸装置において、引戸扉の表面に光触媒コーティングを施すとともに、戸袋内部に光源を設け、引戸扉の開閉を検知する検知機構を配備したことを特徴とする引戸装置。
【請求項４】
引戸扉の戸袋側側面に空気口を設けるとともに、引戸扉の正面に空気口を配備し、両空気口を引戸扉内部に設けたダクトによって連結せしめたことを特徴とする請求項２又は３記載の引戸装置。
【請求項５】
戸袋内面に光触媒コーティングを施したことを特徴とする請求項４記載の引戸装置。
【請求項６】
出入口に配置される引戸扉と、引戸枠部材と、該引戸枠部材の一側に形成され、引戸扉を収納する戸袋とからなる引戸装置において、戸袋内面に酸素触媒コーティングを施すとともに、引戸扉の戸袋側側面に空気口を設け、引戸扉の正面に空気口を配備し、両空気口を引戸扉内部に設けたダクトによって連結せしめたことを特徴とする引戸装置。
【請求項７】
出入口に配置される引戸扉と、引戸枠部材と、該引戸枠部材の一側に形成され、引戸扉を収納する戸袋とからなる引戸装置において、戸袋内面に光触媒コーティングを施すとともに戸袋内部に常時点灯する光源を設けたことを特徴とする引戸装置。
【発明の詳細な説明】
【技術分野】
【０００１】
本発明は、引戸装置に関し、特に室内の消臭や清浄化を簡単に行うことのできる消臭機能付きの引戸装置に関するものである。
【背景技術】
【０００２】
従来の引戸装置は、居室への出入口を開閉する機能をもつのみであった。
【０００３】
これら従来の引戸装置５０は、図３に示すように、引戸枠部材５１と、該枠部材５１の一側に形成された戸袋５２内に収納される引戸扉５３とより構成される。引戸扉５３は、対をなす前後の吊り車５６ａ、５６ｂを走行用レール５７に載置している。
通常は走行用レール５７は閉じ側に向けて下り傾斜せしめて引戸枠部材５１に取り付けられ、引戸５３がその自重によって、又は適宜手段によって常時は引戸５３を閉じ方向に付勢するように構成している。
【０００４】
一方、近年酸素触媒を基材にコーティングすることによって優れた抗菌消臭等の効果を有することが知られている。
【０００５】
これらは、式：Ｔｉ（ＯＨ）ｘ（ＰＯ４）ｙ（ＨＰＯ４）ｚ（Ｈ２ＰＯ４）ｌ（ＯＲ）ｍ（Ｒは炭素数１〜４のアルキル基、ｘ、ｙ、ｚ、ｌ及びｍは、それぞれ０以上の数値であり、ｘ＋３ｙ＋２ｚ＋ｌ＋ｍ＝４を満たす。）で表されるリン酸チタニウム系化合物又はその縮合体を有効成分とする抗菌剤又は消臭剤として表されるものである（例えば、特許文献１参照。）。
また、二酸化チタンからなる光触媒は可視光線で活性化し、抗菌消臭等の効果を有することも広く知られている（例えば、特許文献２、３参照。）。
【特許文献１】特開２００２−３０８７１２号公報
【特許文献２】特許第３２５２１３６号公報
【特許文献３】特許第３４５４８１７号公報
【発明の開示】
【発明が解決しようとする課題】
【０００６】
本発明は、上記従来の引戸装置が単なる出入口の開閉としての機能しか有さない点に鑑み、引戸扉の開閉によって室内の消臭や清浄化を行うことのできる引戸装置を提供することを目的とする。
【課題を解決するための手段】
【０００７】
上記目的を達成するため、出入口に配置される引戸扉と、引戸枠部材と、該引戸枠部材の一側に形成され、引戸扉を収納する戸袋とからなる引戸装置において、引戸扉の少なくとも居室側正面に光触媒又は酸素触媒のコーティングを施したことを特徴とする。
【０００８】
また、第２の発明は、出入口に配置される引戸扉と、引戸枠部材と、該引戸枠部材の一側に形成され、引戸扉を収納する戸袋とからなる引戸装置において、戸袋内面に光触媒コーティングを施したことを特徴とする。
【０００９】
また、第３の発明は、出入口に配置される引戸扉と、引戸枠部材と、該引戸枠部材の一側に形成され、引戸扉を収納する戸袋とからなる引戸装置において、引戸扉の表面に光触媒コーティングを施すとともに、戸袋内部に光源を設け、引戸扉の開閉を検知する検知機構を配備したことを特徴とする。
【００１０】
また、この場合において、引戸扉の戸袋側側面に空気口を設けるとともに、引戸扉の正面に空気口を配備し、両空気口を引戸扉内部に設けたダクトによって連結させることができる。
【００１１】
更に、これらの場合において、戸袋内面に光触媒コーティングを施すことができる。
【００１２】
また、第４の発明は、出入口に配置される引戸扉と、引戸枠部材と、該引戸枠部材の一側に形成され、引戸扉を収納する戸袋とからなる引戸装置において、戸袋内面に酸素触媒コーティングを施すとともに、引戸扉の戸袋側側面に空気口を設け、引戸扉の正面に空気口を配備し、両空気口を引戸扉内部に設けたダクトによって連結せしめたことを特徴とする。
【００１３】
また、第５の発明は、出入口に配置される引戸扉と、引戸枠部材と、該引戸枠部材の一側に形成され、引戸扉を収納する戸袋とからなる引戸装置において、戸袋内面に光触媒コーティングを施すとともに戸袋内部に常時点灯する光源を設けたことを特徴とする。
【発明の効果】
【００１４】
本発明の引戸装置によれば、前記有効成分を主成分とした抗菌剤又は消臭剤を酸素触媒とし、また、二酸化チタンからなる光触媒を引戸扉をコーティングすることによってコーティングされた引戸扉表面そのものと引戸扉表面に触れる空気が抗菌、消臭され、室内外の消臭や清浄化を行うことができる。
【００１５】
戸袋内面に酸素触媒コーティングを施すときは、引戸扉の開閉によって戸袋内から抗菌、消臭された空気が室内外へ排出される。
【００１６】
また、引戸扉の表面に光触媒コーティングを施すとともに、戸袋内部に光源を設け、引戸扉の開閉を検知する検知機構を配備するときは、引戸扉閉鎖時は室内や廊下側の光によって活性化し開放時に置いては戸袋内の光源によって光触媒が活性化する。
【００１７】
この際、引戸扉の戸袋側側面に空気口を設けるとともに、引戸扉の正面に空気口を配備することによって、引戸扉が戸袋内に進入することによって生じるポンプ作用を利用して戸袋内の光源によって抗菌、消臭された空気を戸袋内から引戸扉の正面の空気口を介し室内外へ排出させることができる。
【００１８】
また、戸袋内面に光触媒コーティングを施すときは、引戸扉閉鎖時に戸袋内の光源を点灯することによって戸袋内の空気を抗菌、消臭し、より効率よく抗菌、消臭した空気を室内外に送り出すことができる。
【００１９】
更に、戸袋内面に酸素触媒コーティングを施す場合や光触媒コーティングを施し戸袋内部に常時点灯する光源を設けるときは、戸袋内の空気は常時清浄化される。
【発明を実施するための最良の形態】
【００２０】
以下、本発明の引戸装置の実施の形態を、図面に基づいて説明する。
【実施例１】
【００２１】
図１〜図２に、本発明の引戸装置の第１実施例を示す。
この引戸装置１は、従来例と同様、引戸枠部材２と、該枠部材２の一側に形成された戸袋３内に収納される引戸扉４と、戸袋３とより構成される。
引戸扉４の開閉の仕組みは特に限定されるものはなく、引戸扉４の上面に備えた対をなす前後の吊り車（図示しない）を走行用レール（図示しない）に載置し、通常は走行用レールを閉じ側に向けて傾斜せしめ、引戸扉４の自重によって、又は適宜手段（例えば、巻バネを用いて引戸扉４を閉鎖方向に付勢する等）によって常時は引戸扉４を閉じ方向に付勢するように構成する場合や走行用レールを平行に設け、開閉を人手のみにゆだねるものの他、引戸枠部材２下方の床面に敷設したレール上に引戸扉４を載置して引戸扉４を開閉する構成であってもかまわない。
また、引戸扉４を閉じ方向に付勢するように構成する場合には、引戸扉４に周知のフリーストッパ機構を設けることが好ましい。
【００２２】
本発明の引戸装置１に使用する引戸扉４は、その材質を特に限定するものではないが、その表面に、リン酸チタニウム系化合物又はその縮合体（以下、単に光触媒という）を有効成分とし、紫外線を含まない可視光線のみによる光源（例えば白熱灯やＬＥＤ等）によっても活性化する抗菌剤又は消臭剤又は前述した酸素触媒をコーティングしたもので、引戸扉４の閉鎖時において該引戸扉４周辺の室内や廊下側の空気を抗菌、消臭するものである。
なお、引戸扉４のコーティングは光触媒の粉体を表面に噴霧する方法の他、光触媒を含有した塗料を引戸扉４に塗装することによって行ってもかまわない。
【００２３】
また、引戸扉４には引戸扉４の戸袋３側の側面に空気口４ｂを設けるとともに、引戸扉４の居室側正面４１で戸先側近傍に空気口４ａを配備せしめ、引戸扉４の内部に構成したダクト用４ｃによって空気口４ａ、４ｂを連結する。
【００２４】
空気口４ａは図例では引戸扉４の居室側正面４１にのみに開口した例を示すが廊下側正面４２のみ、又は両方に開口するようにしてもよい。
【００２５】
また、この際に引戸扉４に備えたダクト４ｃ内面に酸素触媒コーティングを施すこしてもよく、これにより、ダクト４ｃを通過する空気Ａが更に抗菌、消臭される。
【００２６】
更に戸袋３内には、光源５と、引戸扉４の開放を検知するリミットスイッチ等からなる検知機構（図示しない）を配備し、引戸扉４が全閉若しくは途中まで閉じられた状態のときに引戸扉４の開放を検知機構によって検知し、その印可信号によって光源５を点灯せしめ引戸扉４の表面にコーティングした光触媒を活性化させるようにすることが好ましい。
なお、検知機構は無目内に設けてもよい。
この際、検知機構によって引戸扉４の開閉度合いが半開きの状態にあっては戸袋３内に配備する光源５のうち戸袋入口側のみ点灯するように調整することが好ましい。
【００２７】
また、戸袋３の内表面３ａに光触媒をコーティングしておくこともできる。
これにより引戸扉４が全閉状態のときに光源５を点灯させておくことによって戸袋３内の空気Ａを抗菌、消臭しておくことができる。
【００２８】
上記構成において、引戸扉４が全閉又は半開きの状態のときは室内又は廊下の照明によって引戸扉４の表面にコーティングした光触媒が活性化され引戸扉４の周囲の空気が抗菌、消臭される。
【００２９】
また、引戸扉４が全開又は半開き状態のときに戸袋３内で光源からの照射によって引戸扉４の表面の空気が同様に抗菌、消臭される。
【００３０】
戸袋３内で光源５を点灯することによって抗菌、消臭された空気Ａは引戸扉４を全開する際に引戸扉４の戸袋３側の側面に設けた空気口４ｂから流入し、ダクト４ｃを通り引戸扉４の居室側正面４１に設けられた空気口４ａから排出されるものである。
【００３１】
この際、戸袋３側の引戸枠部材２の竪枠２ａの開口部分と引戸扉４との隙間ｓは構造上可及的に小とすることにより戸袋３内で抗菌、消臭された空気Ａが該隙間ｓ１、ｓ２から漏れるのが少なくなり大部分が空気口４ａを介し室内や廊下側に排出されるが、隙間ｓ１、ｓ２を覆うように竪枠２ａ全長に亘って引戸扉４の出入りに負荷のかからない様にパッキンを貼り付けるように構成してもかまわない。
また、片側の隙間（ｓ１あるいはｓ２）だけをパッキンで覆うように構成してもよい。
【００３２】
次いで、引戸扉４を閉鎖する際、戸袋３内に占める引戸扉４の体積分の空気が希薄となり気圧が低下するも、竪枠２ａをパッキンによって覆わない場合には隙間ｓ１、ｓ２及び空気口４ａから、またパッキンで覆う場合には空気口４ａから空気を吸い込み戸袋３内には空気が充満することとなる。
また、引戸扉４内に形成するダクト４ｃの内面に酸素触媒コーティングを施しておくとダクト４ｃ内を流通する空気も抗菌・消臭されることになる。
【００３３】
以上、本発明の引戸装置について、実施例に基づいて説明したが、本発明は上記実施例に記載した構成に限定されるものではなく、各実施例に記載した構成を適宜組み合わせる等、その趣旨を逸脱しない範囲において適宜その構成を変更することができるものである。
【産業上の利用可能性】
【００３４】
以上、本発明の引戸装置は、構成が簡単であるという特性を有していることから、新設建造物に用いることができる。
【図面の簡単な説明】
【００３５】
【図１】本発明の引戸装置の実施例を示す正面図である。
【図２】図１のＸ−Ｘ断面図を示し、（ａ）は引戸扉閉鎖時の状態を（ｂ）は引戸扉開放時の状態を示す。
【図３】（ａ）は従来の引戸装置の正面図を示し（ｂ）は（ａ）のＹ−Ｙ断面図を示す。
【符号の説明】
【００３６】
１  引戸装置
２  引戸枠部材
３  戸袋
４  引戸扉
４ａ  空気口
４ｂ  空気口
４ｃ  ダクト
４１  居室側正面
５  光源
【図１】
2005207062.tif 000003
【図２】
2005207062.tif 000004
【図３】
2005207062.tif 000005